(57)【要約】【課題】脚支柱にガスシリンダを使用したネスティング可能な椅子において、座の跳ね上げによってガスシリンダを自動伸長させることの確実性・融通性を向上させる。【解決手段】脚支柱４の上端に設けた固定式ベース８に、前後長手の自動上昇レバー３３が上下回答自在に取り付けられている。自動上昇レバー３３は、ロック解除バルブ３６を押す方向にばね４０で付勢されている。手動式操作ロッド３２の先端はロック解除バルブ３６と自動上昇レバー３２との間に位置している。座２を倒した状態では、自動上昇レバー３２はばね４０に抗して可動式ベース１６で押されている。座２を跳ね上げると、ばね４０によって自動上昇レバー３２が回動してロック解除バルブ３６が押される。自動上昇レバー３２は座２の回動構造とは関係なく動くため、動作が確実であると共に、適用対象が広くて融通性が高い。【選択図】図４
2014233314.tif 000002
【特許請求の範囲】
【請求項１】
ロックを解除すると伸縮自在なフリー状態になるガスシリンダから成る脚支柱を有する脚装置と、前記脚支柱の上端に設けた固定式ベースと、前記固定式ベース又はこれに設けた支持フレームに取り付けた背もたれと、前記固定式ベース又は支持フレーム若しくは背もたれに跳ね上げ回動自在に取り付けられた座とを有しており、前記座を跳ね上げることで前後に嵌め合わせることが許容されており、
かつ、前記ガスシリンダのロックを着座者が解除する手動操作具と、前記座を跳ね上げると前記ガスシリンダのロックが解除されて座を倒すとガスシリンダがロック状態になる自動上昇装置とが設けられている構成であって、
前記自動上昇装置は、前記ガスシリンダがフリー状態に保持されるようにばね手段で付勢された作動部材を備えており、前記座を倒すと前記作動部材がばね力に抗して動くことでガスシリンダがロック状態に移行する、
椅子。
【請求項２】
前記作動部材は前記固定式ベースに取り付けられていてシーソー状に回動する形態であり、回動支点を挟んでガスシリンダと反対側に、ばね受け部と座による押圧部とが設けられており、座の跳ね上げ回動の初期においてガスシリンダがフリー状態に移行する、
請求項１に記載した椅子。
【請求項３】
前記固定式ベースは上に向きに開口した箱状の形態で蓋が上から被さっており、前記蓋の前端部に前記座を支持する左右横長の突条が形成されている一方、前記自動上昇装置の作動部材は前後方向に長い形態であり、前記蓋のうち突条の後ろに、前記押圧部が上向きに突出する穴を、前記突条に近接するようにして設けている、
請求項２に記載した椅子。
【発明の詳細な説明】
【技術分野】
【０００１】
本願発明は、ガスシリンダ式の脚支柱を有すると共に座を跳ね上げることで前後方向に嵌め合わせできるネスティング可能な椅子に関するものである。
【背景技術】
【０００２】
椅子を使用しない状態で格納スペースを節約するために、椅子同士を前後方向（水平方向）に嵌め合わせること（ネスティングすること）は広く行われている。この種のネスティング可能な椅子は、骨組みを金属パイプで構成したパイプ椅子と呼ばれているタイプが多いが、脚支柱として伸縮自在なガスシリンダを使用している椅子（回転椅子）をネスティング可能な構造にすることも提案されており、その例が特許文献１，２に開示されている。
【０００３】
具体的に述べると、特許文献１では、まず、脚を前後４本の枝足を有する方式として、前２本の枝足の高さを後ろ２本の枝足の高さよりも低くすると共に、前２本の枝足の広がり角度を後ろ２本の枝足の広がり角度より小さくすることで、前後に配置した脚装置が嵌まり合うように設定しており、座を略鉛直姿勢に跳ね上げると、前後に配置した椅子を互いに嵌め合わせることができる（ネスティングできる。）。
【０００４】
更に特許文献１では、座を跳ね上げるとガスシリンダのロックを解除して固定式ベースを最大高さに上昇させる自動上昇装置を備えている。この自動上昇装置は、座の回動軸心回りの外周面をカム面として周面カムを利用しており、周面カムでガスシリンダの操作ロッドを押すことで、ガスシリンダのロック解除バルブを押すようになっている。そして、座を跳ね上げ切ると操作ロッドが回動し切るようになっており、従って、固定式ベースは座の跳ね上げ回動の終期において上昇する。
【先行技術文献】
【特許文献】
【０００５】
【特許文献１】特許第３７３０１１９号公報
【特許文献２】特許第４３０６９２２号公報
【発明の概要】
【発明が解決しようとする課題】
【０００６】
既述のように、椅子をネスティングするのは不使用時の格納スペースを少なくするためであり、従来は、パイプ椅子のように簡易な構造のものが多かった。しかし、簡易な構造であると、長時間腰掛けた場合の座り心地は良いとは言えなかった。これに対して特許文献１，２のようなガスシリンダ式の椅子にネスティング構造を採用すると、座の高さを使用者の身長に応じて調節できると共に身体のねじりも許容できるため好適である。
【０００７】
そして、特許文献１のものはネスティング状態で各椅子の高さは一定に揃っているため、見た目が良いと共に、椅子同士の嵌まり合いも深くすることが可能になる（座及び背もたれの高さが不揃いだと、前後の椅子の要素が当たって深く嵌め合わせできなくなる場合がある。）。
【０００８】
しかし、特許文献１のようにカムを使用した自動上昇装置では、ガスシリンダのロック解除バルブを押す力が座の跳ね上げ回動に対する抵抗として作用するため、座の跳ね上げ回動の操作性が悪化したり、ガスシリンダのロック解除バルブが座の跳ね上げに対する抵抗として作用すると操作者が座を跳ね上げ回動し切ったと誤解して途中で回動操作を泊めてしまって、固定式ベースを上昇させずにネスティングしてしまうといった問題が懸念される。
【０００９】
更に、特許文献１の構造は、座の回動支点がロック解除バルブの近傍に位置している場合はよいが、座の回動支点がロック解除バルブから離れていると、事実上適用できなくなるという本質的な問題がある。
【００１０】
本願発明は、このような現状を改善すべく成されたものである。
【課題を解決するための手段】
【００１１】
本願の椅子は、ロックを解除すると伸縮自在なフリー状態になるガスシリンダから成る脚支柱を有する脚装置と、前記脚支柱の上端に設けた固定式ベースと、前記固定式ベース又はこれに設けた支持フレームに取り付けた背もたれと、前記固定式ベース又は支持フレーム若しくは背もたれに跳ね上げ回動自在に取り付けられた座とを有しており、前記座を跳ね上げることで前後に嵌め合わせることが許容されている。
【００１２】
そして、前記ガスシリンダのロックを着座者が解除する手動操作具と、前記座を跳ね上げると前記ガスシリンダのロックが解除されて座を倒すとガスシリンダがロック状態になる自動上昇装置とが設けられている構成であって、請求項１の発明では、前記自動上昇装置は、前記ガスシリンダがフリー状態に保持されるようにばね手段で付勢された作動部材を備えており、前記座を倒すと前記作動部材がばね力に抗して動くことでガスシリンダがロック状態に移行するようなっている。
【００１３】
請求項２の発明は、請求項１において、前記作動部材は前記固定式ベースに取り付けられていてシーソー状に回動する形態であり、回動支点を挟んでガスシリンダと反対側に、ばね受け部と座による押圧部とが設けられており、座の跳ね上げ回動の初期においてガスシリンダがフリー状態に移行するようになっている。
【００１４】
請求項３の発明は、請求項２において、前記固定式ベースは上に向きに開口した箱状の形態で蓋が上から被さっており、前記蓋の前端部に前記座を支持する左右横長の突条が形成されている一方、前記自動上昇装置の作動部材は前後方向に長い形態であり、前記蓋のうち突条の後ろに、前記押圧部が上向きに突出する穴を、前記突条に近接するようにして設けている。
【発明の効果】
【００１５】
本願発明では、座の跳ね上げ回動が自動上昇装置のばね手段でアシストされるため、自動上昇装置を設けたことで座の跳ね上げが重くなることはなくて、座の跳ね上げ回動操作を軽快に行える。
【００１６】
また、操作者に誤解を与えることなく座を所定の姿勢まで大きく跳ね上げ回動させることができることと、座及び背もたれを最大高さまで的確に上昇させることができることとにより、椅子の群を高さと姿勢が揃った美麗な状態にネスティングすることができる。
【００１７】
更に、自動上昇装置の作動部材はばね手段によって動くため、座の回動支点がどこにあっても自動上昇装置を的確に作動させることができる。すなわち、座の支持構造や回動構造に規制されることなく、自動上昇装置を的確に機能させることができる。このため、適用できる範囲が広くて融通性に優れている。
【００１８】
作動部材はガスシリンダの構造や固定式ベースの構造等に応じて様々の形態を採用できるが、請求項２のようにシーソー状の形態を採用すると、構造が単純であるため動きの確実性に優れていると共にコスト面でも有利である。
【００１９】
また、請求項３の構成を採用すると、自動上昇装置の作動部材が突条の後ろに隠れた状態になるため、座を跳ね上げた状態で見た見栄えが良いと共に、作動部材に衣服や物が引っ掛かることも的確に防止できる利点である。
【図面の簡単な説明】
【００２０】
【図１】実施形態に係る椅子の外観図で、（Ａ）は座を起こした姿勢での斜視図、（Ｂ）は座を倒した状態での斜視図、（Ｃ）は片側の支持フレームを取り外した状態での部分側面図である。
【図２】第１実施形態の分離斜視図である。
【図３】（Ａ）は上から見た分離斜視図、（Ｂ）は下から見た分離斜視図である。
【図４】（Ａ）は要部の縦断側面図、（Ｂ）は固定式ベースを後ろから見た斜視図である。
【図５】（Ａ）は固定式ベースの内部を示す斜視図、（Ｂ）はロック解除状態を示す部分側面図である。
【図６】（Ａ）はロック解除レバーと軸受けホルダーとの分離斜視図、（Ｂ）はガスシリンダ操作機構の分離斜視図である。
【図７】（Ａ）は脚装置の正面図、（Ｂ）はネスティング状態での脚装置の平面図である。
【図８】片側の支持フレームを省略してネスティング状態での側面図である。
【図９】（Ａ）（Ｂ）とも第２実施形態に係る椅子の斜視図である。
【図１０】（Ａ）はニュートラル状態での側面図、（Ｂ）はロッキング状態での側面図である。
【図１１】（Ａ）は座を跳ね上げた状態での斜視図、（Ｂ）は脚装置の正面図である。
【図１２】ネスティング状態を示す側面図である。
【発明を実施するための形態】
【００２１】
(1).概要
次に、本願発明の実施形態を図面に基づいて説明する。まず、概要を説明する。なお、以下の説明で方向を特定するため「前後」「左右」の文言を使用するが、これは、椅子に普通に腰掛けた人から見た状態を基準にしている。
【００２２】
図１のとおり、椅子は、大きな要素として脚装置１と座２と背もたれ３とを備えている。図７，８に明示するように、脚装置１は、ガスシリンダよりなる脚支柱４と、脚支柱４を抱持する中心筒５と、中心筒５に溶接等で固定した前後２本ずつの枝足６ａ，６ｂとを有しており、各枝足６ａ，６ｂの先端にはキャスタ７を取り付けている。
【００２３】
枝足６ａ，６ｂは概ね中心筒５から放射方向に向かって延びており、中心筒５から下向きに傾斜した姿勢になっており、先端は鉛直姿勢に曲げている。前２本の枝足６ａの傾斜姿勢及び先端間の左右間隔を後ろ２本の枝足６ｂのそれと異ならせることで、前後に配置された脚装置１が互いに嵌まり合うことを許容している（詳細は後述する。）。
【００２４】
脚支柱４の上端には上向き開口で箱状の固定式ベース８が取り付けられており、図１，２のとおり、固定式ベース８に、座２の左右外側から座面上方に突出した左右一対の支持フレーム９を固定しており、この支持フレーム９の上端部に背もたれ３を回動自在に連結している。
【００２５】
背もたれ３は前後に開口した背枠１０とその開口に配置した背受け体１１とから成っており、図１，２のとおり、背枠１０のうち着座者の腰部が当たる高さ位置の部分に、手前側及び外側に突出した張り出し部１０ａを先端に向けて上下幅が小さくなるようにして設け、張り出し部１０ａの外端が支持フレーム９の上端部の上連結部１２に軸受けブッシュ１３を介して連結されている。
【００２６】
従って、背もたれ３は、上連結部１２の箇所を中心にして左右横長の軸心回りに回動する。また、本実施形態では、背もたれ３は、ロッキングに回動支点よりも上は後退して回動支点より手前は前進する。軸受けブッシュ１２は背もたれ３の回動角度は規制する役割も果たしている。
【００２７】
支持フレーム９の上連結部１２には背枠１０を連結するためのボス部を設けているが、本願発明との関係は薄いので図示は省略している。背もたれ３の背受け体１１は樹脂製背板の前面にクッションを張った構造になっているが、メッシュ材で構成することも可能である。支持フレーム９の上端には前向きに突出した肘当て部９ａを設けており、肘当て部９ａにはパッド１３を装着している。
【００２８】
座２は樹脂製座板の上面にクッションを張った構造であり、この座２は、平面視四角形の可動式ベース１６に取り付けられている。図２のとおり、可動式ベース１６の後端部に、当該可動式ベース１６の左右外側において上向きに突出した吊支アーム１７を一体に設け、吊支アーム１７の上端部を支持フレーム９の上下中途高さ位置の下連結部１８に、図示しない軸受け部材を介して回動自在に連結している。
【００２９】
従って、支持フレーム９の下連結部１９の箇所の回動中心（回動支点）Ｏ（図１（Ｃ）及び図８参照）を中心にして、可動式ベース１５（及び座２）が左右横長の軸心回りに回動する。これにより、座２は水平状の倒れ姿勢から背もたれ３と対向した起こし姿勢まで跳ね上げることができる。なお、可動式ベース１５は樹脂製としているが、アルミダイキャスト品や板金加工品も採用できる。吊支アーム１７を可動式ベース１６とは別体に構成することも可能である。可動式ベース１６に多数の補強リブを設けている。
【００３０】
可動式ベース１６には左右一対のレール１９が前後動自在に装着されており、レール１９に座２を固定している。レール１９は内蔵したばね（図示せず）によって後退方向に付勢されている。そして、レール１９の後端に左右横長のステー２１を固定し、ステー２１の左右両端に上向きの受動アーム２１ａを一体に設け、受動アーム２１ａの上端部を背もたれ３の下端部に設けてポケット状の押動部２２に下方から嵌め入れている。
【００３１】
従って、ロッキングによって背もたれ３が後傾すると座２は前進し、背もたれ３に対する圧力が解除されると背もたれ３はニュートラル姿勢に戻ると共に座２は後退する。受動アーム２２の上端に樹脂製のスライダー２３を装着している。スライダー２３は側面視で円形に近い形態であり、その軸心は可動式ベース１６の回動軸心とほぼ一致している（従って、可動式ベース１６はこじれのない状態で跳ね上げることができる。）。
【００３２】
(2).固定式ベース及び支持フレームの取り付け構造・昇降機構
固定式ベース８はおおむね正方形に近い平面形状であり、これに左右の支持フレーム９を固定している。左右の支持フレーム９は図１，２では正面視で外向き凸状に湾曲しているように見えるが、このように見えるのは図８のように側面視で後ろ向き凸状に湾曲しているためであり、実際には、図７（Ａ）のとおり、下水平部と鉛直部とを有する正面視略Ｌ形になっている。
【００３３】
例えば図４（Ａ）に示すように、固定式ベース８の内部には、当該固定式ベース８の後ろ半分程度の底板との間に上下の空間が空くようにしてセンターブラケット２５を溶接で固着し、固定式ベース８とセンターブラケット２５とにブッシュ２６を固着し、このブッシュ２６に脚支柱４の上端を下方から差し込み装着している。
【００３４】
図３に示すように、固定式ベース８は断面略角形になっているが、この左右支持フレーム９のうち下端を構成する下水平部９ｂに前後幅及び上下幅とも小さくした角形の突部９ｃを設け、突部９ｃを固定式ベース８に設けた横穴２７に差し込んでいる。突部９ｃには、固定式ベース８に下方から貫通したビス（図示せず）がねじ込まれており、従って、突部９ｃは固定式ベース８に抜け不能に固定されている。溶接で固定してもよい。
【００３５】
突部９ｃは固定式ベース８とセンターブラケット２３とで上下動不能に位置決めされており、また、固定式ベース８に設けた前後の内向き側片８ｂ（図５（Ａ）も参照）によって前後位置が規制されている。
【００３６】
なお、固定式ベース８と左右支持フレーム９とをアルミダイキャストや樹脂成型品で一体成型することも可能であるが、この場合は非常に大きな金型が必要になると共に、設計変更の融通性も悪い問題がある。これに対して本実施形態のように固定式ベース８と左右支持フレーム９とを別部材に構成すると、支持フレーム９は一般的な大きさの金型で製造できると共に、固定式ベース８及び支持フレーム９の設計変更にも簡単に対応できる利点かある。
【００３７】
例えば図３，４に示すように、固定式ベース８には、その全体を覆う蓋２８が被さっている。蓋２８は樹脂製であり、前後の爪２８ａ（図３（Ａ）参照）を固定式ベース８の前後板に設けた係合穴８ｃ（図５（Ａ）参照）に嵌め込んでいる。蓋２８をアルミダイキャスト製として、ビスで固定式ベース８に固定することも可能である。
【００３８】
蓋２８の前部には、可動式ベース１６を支持する座支持部として横長の突条２９を突設している。突条２９の上端にはその左右両端部を残して凹み３０を形成しており、従って、可動式ベース１６は左右２カ所で状態で支持されている。突条２９の内面には多数のリブ３１を設けており、このリブ３１を固定式ベース８のフランジ８ａで支持している。このため、大きな荷重であっても的確に支持される。図１（Ａ）のとおり、可動式ベース１６には突条２９が嵌まる溝条１５ａを設けている。
【００３９】
図３〜５のとおり、固定式ベース８の内部には、着座者が手動により高さ調節するための操作ロッド３２と、可動式ベース１６の跳ね上げによって固定式ベース８を最大高さまで自動的に上昇させる自動上昇レバー３３とが取り付けられている。操作ロッド３２は手動操作手段の主要部を構成して、自動上昇レバー３３は自動上昇手段の作動部材を構成している。
【００４０】
操作ロッド３２は金属丸棒製であり、例えば図６（Ｂ）から明らかなとおり、前後長手部３２ａの前端には外向き横長部３２ｂを設けて前後長手部３２ａの後端には内向き横長部３２ｃを設けたクランク状の外観を呈している。そして、外向き横長部３２ｂは固定式ベース８の外側に突出させて、これに指当て用の摘まみ３４を取り付けている。摘まみ３４は請求項に記載した手動操作具の一例である。脚支柱４のロック解除をワイヤーで行うことも可能であり、この場合は、手動操作具は座２に設けることが可能である。
【００４１】
前後長手部３２ａは樹脂製の軸受けホルダー３５で押え保持されており、従って、操作ロッド３２は前後長手部３２ａの軸心回りに回動する。操作ロッド３２における内向き横長部３２ｃの前端部は偏平に潰されており、脚支柱４におけるロック解除バルブ３６の上に位置している。従って、操作ロッド３２を上に引くとロック解除バルブ３６が下向きに押され、これによって脚支柱４のロックが解除されて固定式ベース８は上昇する。操作ロッド３２の外向き横長部３２ｂは、固定式ベース８の側板に設けた上下長手の長穴３７に嵌まっている。このため、操作ロッド３２は前後ずれ不能に保持されている。
【００４２】
自動上昇レバー３３は前後方向に長い形態で、その後端部は、ロック解除バルブ３６の真上でかつ操作ロッド３２における内向き横長部３２ｃの先端の上に位置している。従って、自動上昇レバー３３の後端が下がると、ロック解除バルブ３６は操作ロッド３２を介して押し下げられる。なお、ロック解除バルブ３６を押し下げ操作する回動式の中間部材を固定式ベース８に設けて、この中間部材を操作ロッド３２と自動上昇レバー３３とで個別に押す構造を採用することも可能である。
【００４３】
軸受けホルダー３５は、操作ロッド３２を回転自在に保持する第１軸受け部３２ａと、自動上昇レバー３３が嵌まり込む後ろ向き開口の第２軸受け部３２ｂと、下ばね受け部３２ｃとを有しており、ビス４２でセンターブラケット２３に固定されている。軸受けホルダー３５の第１軸受け部３２ａと第２軸受け部３２ｂとはセンターブラケット２３の上面に重なっているが、ばね受け部３２ｃは下側に段落ちしており、ばね受け部３２ｃは、センターブラケット２３の前端に設けた前向き下片２３ａに上から重なっている。センターブラケット２３の前向き下片２３ａは固定式ベース８の底面に重なっている。
【００４４】
軸受けホルダー３５における第２軸受け部３２ｂの左右内側面には、上には貫通していない軸受け溝穴３８が空いている一方、自動上昇レバー３３には、第２軸受け部３２ｂの軸受け溝３９に嵌まる軸受け突起３３ａが横向き突設されている。従って、図６（Ｂ）に示すように、自動上昇レバー３３を裏返して前後逆向きにしてから軸受け突起３３ａを軸受け溝３９に嵌め込み、次いで自動上昇レバー３３を手前に起こすことで自動上昇レバー３３を軸受けホルダー３５にセットできる。また、自動上昇レバー３３は軸受け突起３３ａの軸心回りに回動可能になっている。
【００４５】
自動上昇レバー３３には、軸受けホルダー３５の下ばね受け部３５ｃと対抗した上ばね受け部３３ｂを設けており、上下のばね受け部３３ｂ，３５ｃの間に、ばね手段の一例としての圧縮コイル式のばね４０を介在させている。従って、自動上昇レバー３３は、ロック解除バルブ３６を押し下げる方向にばね４０で付勢されている。上下のばね受け部３３ｂ，３５ｃには、ばね４０のずれ防止のためボス部３３ｃ，３５ｄを設けている。
【００４６】
そして、自動上昇レバー３３の前端には上向きの部３３ｄを設けて、可動式ベース１６を倒すと、この可動式ベース１６で自動上昇レバー３３の上向きの部３３ｄを押すことで、自動上昇レバー３３によるロック解除バルブ３６の押し作用が解除される。自動上昇レバー３３の後端は操作ロッド３２における内向き部３２ｃの先端の上に位置しているので、操作ロッド３２の操作性は妨げられない。
【００４７】
固定式ベース８を覆う蓋２８には、自動上昇レバー３３の上向き部３３ｄを蓋２８の上に露出させるための穴４１が空いている。穴４１は突条２９の後ろに隠れるように空いており、可動式ベース１６を跳ね上げた状態で、上向き部３３ｄと突条２９とは略同じ程度の高さになるように設定している。このため、上向き部３３ｄに物が引っ掛かったり、見栄えが悪くなったりすることはない。
【００４８】
可動式ベース１６を跳ね上げると自動上昇レバー３３を介してばね４０でロック解除バルブ３６が押し下げられ、これによって固定式ベース８が上昇する。従って、レバー操作を要することなく、可動式ベース１６のどこに手を当てて跳ね上げても固定式ベース８を自動的に上昇させることができる。既に述べたが、自動上昇に伴って、脚装置１の内筒と外筒とが相対回転して、脚装置１と座部（座２及び可動式ベース１６）及び背もたれと３の相対姿勢がネスティング可能な基準姿勢に保持される。
【００４９】
自動上昇レバー３３の回動ストロークは僅かなので、本実施形態では、可動式ベース１６を跳ね上げ回動させる初期において固定式ベース８が上昇する。また、可動式ベース１６を倒すに際しては、その終期に脚装置１のロックが解除される。
【００５０】
ばね４０は可動式ベース１６を跳ね上げ方向に押しているので、可動式ベース１６の安定性という点からは、ばね４０の弾性力はできるだけ小さいのが好ましい。この点については、自動上昇レバー３３によるテコ作用をできるだけ大きくしたらよい（自動上昇レバー３３は、固定式ベース８の対角方向に長い姿勢に配置することも可能である。）。また、昇降操作手段及び自動上昇手段ともレバー方式である必要はなく、チューブにワイヤーを摺動自在に挿入した索導管を使用することも可能である。
【００５１】
(4).脚装置
本実施形態では、脚装置１も改善されている。この点を次に説明する。脚装置１は第１実施形態と同様に前後２本ずつの枝足６ａ，６ｂを有しているが、本実施形態では、各枝足６ａ，６ｂの付け根は同じ高さになっており、同じ高さで中心筒５の上端部から分岐している。
【００５２】
そして、前後のネスティングを可能にするため、図７（Ｂ）のとおり、前側の枝足６ａの前端間の左右間隔を後ろ側の枝足６ｂの前端間の左右間隔より小さくすると共に、図８のとおり、前側の枝足６ａは側面視略直線状に傾斜させて、後ろ側の枝足６ｂは側面視で上側に脹れたように湾曲させている。枝足６ａ，６ｂがこのような側面視形状であることにより、後ろに位置した椅子の前側の枝足６ａが前に位置した椅子における後ろの枝足６ａの下方に大きく入り込むことが許容されている。
【００５３】
そして、各枝足６ａ，６ｂは付け根の高さが同じであるため、高さを異ならせたものに比べて美感は格段に優れている。また、後ろ側の枝足６ｂは前側の枝足６ａより長さが長くなっているが、上側に脹れたアーチ構造であるため、高い強度を保持できる。なお、枝足６ａ，６ｂは前後の関係を逆にすることも可能であるが、使用者の足の邪魔になることを防止するには、実施形態のように前側の枝足６ａ，６ｂを短くして傾斜姿勢にするのが好ましい。なお、図示していないが、前側の枝足６ａと後ろ側の枝足６ｂとのうちいずれか一方又は両方には、ネスティングしたときの衝突で傷付くのを防止するための樹脂製の緩衝材を設けている。
【００５４】
(4).その他
本願発明は、上記の実施形態の他にも様々に具体化できる。例えば、座や背もたれの形態は必要に応じて任意に設定できる。背もたれの後傾動や座の動きに抵抗を付与するばね手段としては、トーションバーや板ばね、ゴムなど各種のばね体（弾性体）を採用できる。背もたれの後傾姿勢を制御するガスシリンダ等のロック手段を設けることも可能である。背もたれ又は座は、その外周を構成するフレーム材にメッシュ状等の可撓性シート材を張った構造とすることも可能である。
【００５５】
支持フレームは中間支持体と云えるが、背もたれと座（可動式ベース）とを別々の中間支持体に取り付けることも可能である。すなわち、背もたれ用の中間支持体と座用の中間支持体とを別々に設けることも可能である。手動操作具は必ずしも回動式である必要はなく、押しボタン方式やロータリー方式（回転式）であってもよい。
【産業上の利用可能性】
【００５６】
本願発明は椅子に具体化して製造できる。従って、産業上利用できる。
【符号の説明】
【００５７】
１  脚装置
２  座
３  背もたれ
４  脚支柱（ガスシリンダ）
６  枝足
７  キャスタ
８  固定式ベース
９  中間支持体を構成する支持フレーム
１２  上連結部
１６  固定式ベース
１８  下連結部
２８  蓋
２９  突条
３２  操作ロッド
３３  作動部材の一例としての自動上昇レバー
３４  手動操作具の一例としての回動式摘まみ
３６  ロック解除バルブ
４０  ばね（ばね手段、弾性体）
【図１】
2014233314.tif 000003
【図２】
2014233314.tif 000004
【図３】
2014233314.tif 000005
【図４】
2014233314.tif 000006
【図５】
2014233314.tif 000007
【図６】
2014233314.tif 000008
【図７】
2014233314.tif 000009
【図８】
2014233314.tif 000010
【図９】
2014233314.tif 000011
【図１０】
2014233314.tif 000012
【図１１】
2014233314.tif 000013
【図１２】
2014233314.tif 000014